(57)【要約】      （修正有）【課題】光フアイバー方式では採光効率が低く、それをカバーする為設備が大きくなり、高価となる課題、反射鏡方式では太陽方向追尾方式のコストが高く、採算が取れないという課題を解決する陽光採光装置の集光部構造を提供する。【解決手段】円球ドーム１内の反射鏡２を高速回転させる事で、常時変化する太陽光の高度と方位に対し、常に正対する反射面を与え、太陽を追尾する必要が無く、太陽光を連続的に採光する。【選択図】図１
2013197089.tif 000002
【特許請求の範囲】
【請求項１】
円球ドーム内の反射鏡を高速回転させる事で、常時変化する太陽光の高度と方位に対し、常に正対する反射面を与え、太陽を追尾する必要が無く、太陽光を連続的に採光する事が出来る考案。
【請求項２】
前記考案を実現する為に、円球ドーム、回転反射鏡、回転軸、モーター、モーター固定軸を組み合わせた構造。
【発明の詳細な説明】
【技術分野】
【０００１】  本発明は、太陽光を直接建物の室内へ転送する、太陽光採光装置の集光部の構造であり、透明ドーム内に反射鏡を設けた、簡単な集光装置で受光した太陽光を内面アルミニューム鏡板のダクトやパイプを通じて、建物の室内に自然光を導入する為の集光部構造である。
【背景技術】
【０００２】  既存の太陽採光装置の直接採光式の集光部は（イ）反射鏡を設けて、この反射鏡が太陽の方向を追尾する方式と（ロ）太陽光を追尾しない、固定した集光部から内部鏡面仕上げのダクト経由で室内に自然光を転送するシステム等がある。尚直接採光方式以外では光ファイバーに太陽光を転送し、建物室内照明に利用するシステムもある。
【発明の概要】
【発明が解決しようとする課題】
【０００３】  前記の既存のシステムで現実的な価格の製品はすべて外国製であり、国産品にはこのような製品が無かった。従って輸入品は輸送コストもかかり、日本に於いては割高になり普及の障害になっていた。その為に採算性のある国産の太陽光採光装置の開発は、今後の日本の電力事情から考えても、検討されなければならない課題であった。【０００４】  自然エネルギーの利用は地球の環境問題の改善の点からも又、福島原子炉の事故以後、我国は電力不足の問題を抱えその対策を急がされており節電と自然エネルギ−の利用は社会が求める重要な課題である。
しかしながら、現在推進されている太陽発電等には高コストの問題がある。
又太陽光の採光装置のコストも非常に高く採算性が無い。
既存製品は過剰な設計や据え付けの不便さ、回収光量の少なさ等多くの欠点を持った未成熟な製品であり、その結果として既存の太陽光採光装置は一般的な普及が進展していない。
従い、低コストの信頼性ある太陽光採光装置の開発により、太陽光採光装置を広く社会に普及させ前記問題の解決対策の一部に寄与する事が本発明の目的である。【０００５】  本発明は前記事情を考慮し、既存の問題点を解決し、採算性のある価格で簡単に設置出来る太陽光採光装置を提案するものである。
【課題を解決するための手段】
【０００６】    本発明は前述した既存製品の欠点を改良する為に、太陽の追尾を省略し、装置全体をより簡単な構造とした。
前記の目的で太陽の動きを詳細に分析した結果、太陽の動きにはパターンがある事を発見し、太陽の追尾をしなくても一年を通じて充分な採光が可能な最も簡単な集光部の構造を考案出来たものである。
ドーム型の太陽光受光部内に特殊な形状の反射鏡を設け、この反射鏡を連続回転する事で角度や方位の異なる太陽光を適切に下部の採光装置本体に送り、内部アルミニューム鏡面のダクトやパイプを通じて、室内へ太陽光を転送する。
尚、集光部以降の光転送のダクトやパイプは既存の物を採用するので、本説明からは省略した。
【発明の効果】
【０００７】    本発明により既存の製品にあった問題点が解決される。
既存の製品はともすれば、殆ど採算性の無い特殊な需要に支えられた小規模な採用に留まっており工業、商業分野の採用は限定的であったが低コストの製品は市場を拡大する可能性があり、より環境、節電対策に貢献出来る。
本発明採用による省エネルギーは自然光を室内照明に利用し、晴天の日中相当時間、電気照明を消し、節電するものである。
【図面の簡単な説明】
【００８】
【図１】反射鏡式集光部の断面図である。
【図２】球面回転反射鏡の立体図である。
【図３】平面回転反射鏡の立体図である。
【発明を実施するための形態】
【００９】  以下図１、２、３を参照して、本発明に関わる太陽光採光装置について説明する。本装置は、図１、１受光ドーム（透明部）、２回転反射鏡、３反射鏡回転モ−ター、４．集光部本体（内面反射鏡部）、５．反射鏡回転軸、６、モーター固定軸で構成される。
【００１０】  図１に於いて、太陽光は球面状ドームの１受光ドーム（透明部）から入光するが、太陽高度の高低に関係無く、入射光はドームの２球面反射鏡で角度を変え下部の４集光部本体へ転送される。
又本採光装置で受光中は２の回転反射鏡は３の反射鏡回転モ−ターにより常時高速回転している。この回転により太陽高度や位置に関係無く、入射太陽光に対して常に正対した鏡面が連続して与えられる。
この３のモーターの回転数を上げる事により、入射光に正対する鏡面の時間が増加し、入射光に対し固定し連続して有効な反射面を与えるのと同じ効果が得られる為に、太陽光の追尾が不要となり、安価な採光装置となる。
【００１１】  通常の太陽光採光装置は採光量を増大させる為に太陽の追尾（方位、高度）が不可欠であるが、この装置はＧＰＳ機能やマイコンが必要な上に、機構が複雑で、太陽光採光装置全体のコストを上昇させる。この追尾装置を省略する為に年間の太陽の動きを詳細に解析し、又反射鏡を高速回転させる事を考案した事で、前記装置を不要にした事が本発明の主要点である。
単のモーターを連続回転させるだけなので、前記のマイコンや複雑な機構は不要になった。
【００１２】    図１の２、回転反射鏡は半球面状にしても良いし、平面反射鏡で構成しても良く、共に同じ性能が得られる。図２と３に回転反射鏡の例を示す。
【産業上の利用可能性】
【００１３】  前述したように太陽光採光装置は産業界の省エネルギー対策として大きな可能性を持っている。
低コストの太陽光採光システムは工場、大規模商店、船舶、学校等の公共施設等多くの採用の可能性があり節電及びＣＯ２削減対策となる。
又船舶のＮＯＸ，ＳＯ，ＣＯ２削減は必須となっているので陸上設備と共に、幅広い利用が産業界で見込める。
【先行技術の開示及び対比説明】
【００１４】（１）文献名：
文献１：ウエブサイト：ｗｗｗ．ｓｕｎ．ｏｒ．ｊｐ
太陽光採光システム協議会
国産品の太陽光採光装置が紹介されている。
（２）対比説明
既存の技術による製品は夫々一長一短があり省エネルギー対策としての投資採算性に欠けたり、用途が限定されたりの理由で広く普及する為の要因に欠ける。
本発明は、如何に簡単な構造で採光容量を増やし投資コストを下げるかに知恵を絞ったものである。
前記文献１や太陽光採光協議会で発表されている、各種のシステムを見れば既に本項で度々説明した基本点、複雑な構造による高価さや用途が限定される製品群である事が良く理解出来る。
これ等既存製品と比較し、本発明は集光装置の構造の簡単さにより明確にコストダウンの可能性を示している。
【符号の説明】
【００１５】１．受光ドーム（透明部）、
２  回転反射鏡
３  反射鏡回転モ−ター
４  集光部本体（内面アルミニューム反射鏡）
５  反射鏡回転軸
６  モーター固定軸
【図１】
2013197089.tif 000003
【図２】
2013197089.tif 000004
【図３】
2013197089.tif 000005